(57)【要約】      （修正有）【課題】釣り糸等の被切断物を切断する場合に、切断片を確実に保持でき、かつ構造が単純な切断片保持ハサミを提供する。【解決手段】上下一対の刃体を支軸により開閉回動可能に連結したハサミにおいて、下方の刃体７の下端部から切断面を超えて外側へ向かって延出してなる延出部と、延出部の外縁から上方に向かって立設されてなる保持片とを有する保持部８が形成され、下方の刃体と保持片との間には、上方の刃体６が収容可能な収容空間が形成されるとともに、収容された上方の刃体の外側面と保持片の内側面８ｃとの間には隙間が形成され、保持部の上端は、下方の刃体の刃線７ｃ以上の高さに設けられている。【選択図】図１
0003230351.tif 000002
【実用新案登録請求の範囲】
【請求項１】
上下一対の刃体を支軸により開閉回動可能に連結したハサミにおいて、
下方の刃体の下端部から切断面を超えて外側へ向かって延出してなる延出部と、前記延出部の外縁から上方に向かって立設されてなる保持片とを有してなる保持部が形成されており、
前記下方の刃体と前記保持片との間には、上方の刃体が収容可能な収容空間が形成されてなるとともに収容された前記上方の刃体の外側面と前記保持片の内側面との間には隙間が形成され、
前記保持部の上端は、下方の刃体の刃線以上の高さに設けられてなる
ことを特徴とする切断片保持ハサミ。
【請求項２】
前記保持部の上端は、下方の刃体の刃線と上方の刃体の刃線とが同一高さとなった時の、上方の刃体の小刃上端以上の高さに設けられてなる
ことを特徴とする請求項１に記載の切断片保持ハサミ。
【請求項３】
上下一対の刃体を支軸により開閉回動可能に連結したハサミにおいて、
少なくとも前記支軸、下方の刃体に係る柄又は下方の刃体に係る持ち手のいずれかに基端部が連結されてなるとともに、前記下方の刃体の切断面に沿って、先端方向に延出され、下方の刃体に連動して開閉回動する保持部が形成されており、
前記下方の刃体と前記保持部との間には、上方の刃体が収容可能な収容空間が形成されてなるとともに収容された前記上方の刃体の外側面と前記保持部の内側面との間には隙間が形成され、
前記保持部の上端は、下方の刃体の刃線以上の高さに設けられてなる
ことを特徴とする切断片保持ハサミ。
【請求項４】
前記保持部の上端は、下方の刃体の刃線と上方の刃体の刃線とが同一高さとなった時の、上方の刃体の小刃上端以上の高さに設けられてなる
ことを特徴とする請求項３に記載の切断片保持ハサミ。
【請求項５】
前記隙間が、切断片の厚みと同一またはその厚みよりわずかに厚い
ことを特徴とする請求項１〜４のいずれか１つに記載の切断片保持ハサミ。
【請求項６】
前記保持部が、前記下方の刃体に対して取外し可能に嵌装されてなる
ことを特徴とする請求項１〜５のいずれか１つに記載の切断片保持ハサミ。
【考案の詳細な説明】
【技術分野】
【０００１】
本考案は、釣り糸等の被切断物を切断する場合に、切断片を保持できる切断片保持ハサミに関する。
【背景技術】
【０００２】
一般に、上下一対の刃体を支軸により開閉回動可能に連結したハサミにおいては、刃体を開閉回動させて釣り糸等を切断した際に、両刃体間から細かい切断片が周囲に飛散して、回収できないという問題があった。
特に、近年においてプラスチック問題が懸念されているなか、釣り人が使用する釣り糸の切断片が、海や川に流れ、鳥が切断片を食べてしまうといった環境への影響も問題となっている。
また、調理の場においても、パウチ等の袋を切断する際に、切断片が卓上や床に落下し、下水へ流れ出してしまうことで、環境への影響が懸念されている。
このような問題は、切断片が小さく、特に釣り糸のような樹脂製の細線体は通常のハサミで切断された直後に弾性によって飛んで行ってしまうことにより、より深刻な問題となる。
【０００３】
このような問題点を解消するために、従来から以下のようなハサミが提案されている。
先行文献１によれば、一対の刃体（１，２）を支軸（３）により開閉回動可能に連結したハサミにおいて、一方の刃体（１）の内側面には、一対の刃体（１，２）の開閉回動により切断された被切断物（Ｗ）の切断片（Ｗａ）を他方の刃体（２）と協働して把持するための把持体（６）を、他方の刃体（２）と対向する作用位置（Ｐ１）と、他方の刃体（２）と対向しない不作用位置（Ｐ２）とに移動可能に取着したことを特徴とするハサミである。
【０００４】
また、先行文献２によれば、ハサミを構成する一対の刃体のうち、一方の刃体内側面に対し、一対の刃体により切断された切断片を他方の刃体と協働して把持するための把持部（６ｃ）を設けたことを特徴とするハサミである。
【０００５】
さらに先行文献３によれば、第１の刃と第１の持ち手とを備える第１刃体と、第２の刃と第２の持ち手とを備える第２刃体とを、支軸のところで開閉自在に結合した園芸鋏において、前記第１の刃を覆うように補助具が設けられており、前記補助具は、前記第１の刃の長手方向に延びていて、互いに対向する１対の側壁とこれらの側壁を互いにつなぐ連結部とを備え、これにより、前記補助具の前記第１の刃の長手方向に垂直な断面形状がコの字形になっており、前記１対の側壁の内面間の距離は前記第１の刃の厚さと前記第２の刃の厚さの合計に実質的に等しく、前記１対の側壁のうち、園芸鋏を閉じたときに前記第２の刃に接近する側の側壁は、前記１対の側壁の内面間の距離を広げる方向に弾性的に変形可能であり、前記補助具の前記連結部は前記第１の刃の背に対向しており、前記コの字形の開口部分は前記第２の刃に向かって開口し、前記補助具はバネ手段によって前記連結部が前記第１の刃の背に向かう方向に付勢され、園芸鋏が切断対象物を挟んでいない状態では、前記第１の刃の長手方向に垂直な平面内において、前記補助具の前記１対の側壁の先端が、前記第１の刃の切刃よりも前方に突き出している特徴を備える園芸鋏である。
【先行技術文献】
【特許文献】
【０００６】
【特許文献１】特許第２６２０４００号公報
【特許文献２】実開平１−１０４９６６号公報
【特許文献３】特許第３２３５９９６号公報
【考案の概要】
【考案が解決しようとする課題】
【０００７】
しかし、従来技術のハサミの構造では、先行文献1及び２に記載された、下の刃体の内側面において、一対の刃体により切断された切断片と他を上の刃体と協働して把持するための把持部が設けられているが、当該把持部では、切断後の切断片を十分に保持できないことが、本願考案者の検討により判明した。
【０００８】
また、先行文献３にかかるハサミの構造では、ハサミに設けられた補助具にバネ手段を設ける等、物品数が増え、構造が複雑化してしまう。
【課題を解決するための手段】
【０００９】
そこで、上記課題を解決するための手段として本考案に係る切断片保持ハサミは、上下一対の刃体を支軸により開閉回動可能に連結したハサミにおいて、下方の刃体の下端部から切断面を超えて外側へ向かって延出してなる延出部と、前記延出部の外縁から上方に向かって立設されてなる保持片とを有してなる保持部が形成されており、前記下方の刃体と前記保持片との間には、上方の刃体が収容可能な収容空間が形成されてなるとともに収容された前記上方の刃体の外側面と前記保持片の内側面との間には隙間が形成され、前記保持部の上端は、下方の刃体の刃線以上の高さに設けられてなることを特徴とする。
【００１０】
また、本考案に係る切断片保持ハサミは、上下一対の刃体を支軸により開閉回動可能に連結したハサミにおいて、少なくとも前記支軸、下方の刃体に係る柄又は下方の刃体に係る持ち手のいずれかに基端部が連結されてなるとともに、前記下方の刃体の切断面に沿って、先端方向に延出され、下方の刃体に連動して開閉回動する保持部が形成されており、前記下方の刃体と前記保持部との間には、上方の刃体が収容可能な収容空間が形成されてなるとともに収容された前記上方の刃体の外側面と前記保持部の内側面との間には隙間が形成されてなることを特徴とする。
【００１１】
さらに、前記保持部の上端は、下方の刃体の刃線と上方の刃体の刃線とが同一高さとなった時の、上方の刃体の小刃上端以上の高さに設けられてなることが好ましい。前記保持部の上端が下方の刃体の刃線以上の高さに設けられてなれば、切断片を保持部と上方の刃体との間に引き込みながら保持することが可能であるが、前記保持部の上端が下方の刃体の刃線と上方の刃体の刃線とが同一高さとなった時の、上方の刃体の小刃上端以上の高さに設けられてなることで、被切断物が上下の刃体によって切断される際に上方の小刃上端と保持部とによって切断片を確実に保持することができ、より切断片の飛散を防止することができるからである。なお、小刃上端とは、刃線から斜め方向に傾斜した面からなる小刃と刃体外側面との境界線をいう。
【００１２】
さらにまた、前記隙間が、切断片の厚みと同一またはその厚みよりわずかに厚いものでもよい。切断片が前記隙間に押し込まれて易くするとともに、確実な保持が可能となるからである。
【００１３】
また、前記保持部が、前記下方の刃体に対して取外し可能に嵌装されてたものでもよい。被切断物の厚みに応じて、隙間の幅が異なる他の保持部に変更できるからである。また、不要時には、通常のハサミとして使用できるからである。
【００１４】
前記保持部の材質としては、樹脂、金属若しくは磁石等の素材を採用することができる。しかし、前記保持部は、ハサミの刃体に形成されることを鑑みると、軽量な素材を用いることが好ましい。
【００１５】
前記保持片は、下の刃体の内側面の全体に形成されていてもよい。被切断物を刃体のどの位置で切断しても切断片を保持できるからである。
【００１６】
前記延出部の延出する長さは、調整できるものであってもよい。被切断物の厚みに対応して、前記隙間の間隔を変更できるからである。
【考案の効果】
【００１７】
本考案に係る切断片保持ハサミによれば、上下一対の刃体の開閉回動により切断された被切断物の切断片を、前記上方の刃体の外側面と前記保持部の内側面との間で押し込み、切断片を飛散させることなく、確実に保持できる。
【００１８】
また、本考案にかかる切断片保持ハサミは、構造が単純であり、量産が容易である。
【図面の簡単な説明】
【００１９】
【図１】本考案の刃体が開いた状態の背面図である。
【図２】本考案の刃体が開いた状態の正面図である。
【図３】本考案の刃体が閉じた状態の背面図である。
【図４】Ａ−Ａ拡大端面図である。
【図５】Ｂ−Ｂ拡大端面図である。
【図６】被切断物の切断前に係るＡ−Ａ拡大端面図である。
【図７】被切断物の切断時に係るＡ−Ａ拡大端面図である。
【図８】被切断物の切断後に係るＡ−Ａ拡大端面図である。
【図９】本考案の第二の実施形態に係る背面図である。
【図１０】本考案の第二の実施形態に係る正面図である。
【図１１】被切断物の切断前に係るＣ−Ｃ拡大端面図である。
【図１２】被切断物の切断時に係るＣ−Ｃ拡大端面図である。
【図１３】被切断物の切断後に係るＣ−Ｃ拡大端面図である。
【考案を実施するための形態】
【００２０】
以下、本考案に係る実施の形態を、図を参照しながら詳しく説明する。なお、本明細書及び図面において、実質的に同一の機能構成を有する構成要素については、同一の符号を付することにより重複説明を省略する。
【００２１】
［第一の実施形態］
図１は、本考案に係る切断片保持ハサミ１の背面図であり、図２はその正面図である。また、図３は、本考案に係る切断片保持ハサミ１の刃体が閉じた状態の背面図である。なお、図４は図１のＡ−Ａ拡大端面図であり、図５は図３のＢ−Ｂ拡大端面図である。
【００２２】
本実施形態における切断片保持ハサミ１は、図１に示すように、支軸５により回動可能に連結された上下一対の刃体６，７の基端には、持ち手２，４がそれぞれに備えられ、下方の刃体７は、固定部１１によって固定された保持部８を有してなる。以下、前記構成を有する本考案に係る切断片保持ハサミ１の形態について図を参照しながら詳説する。
【００２３】
図５に示すように、上下一対の刃体６，７を支軸５により開閉回動可能に連結した切断片保持ハサミ１において、下方の刃体７の下端部から切断面７ｂを超えて外側へ向かって延出してなる延出部８ａと、前記延出部８ａの外縁から上方に向かって立設されてなる保持片８ｂとを有してなる保持部８が形成されてなる。
【００２４】
前記保持部８は、下方の刃体７に一体形成されてなるほか、下方の刃体７に対して取外し可能に嵌装されていてもよい。
【００２５】
前記延出部８ａは、図５に示すように、上方の刃体６の幅よりわずかに広く形成されている。前記下方の刃体７と前記保持片８ｂとの間には、上方の刃体６が収容可能な収容空間Ｐが形成されてなるとともに収容された前記上方の刃体に係る外側面６ａと前記保持片の内側面８ｃとの間には隙間Ｑが形成されるためである。
【００２６】
前記上方の刃体６に係る外側面６ａと前記保持片８ｂの内側面８ｃとの間に形成された隙間Ｑは、切断片１０の厚みまたは被切断物９の厚みに応じて調整可能であってもよい。
【００２７】
前記保持片８ｂの上端８ｅは、下方の刃体に係る刃線７ｃ以上の高さに形成されてなる。これにより、被切断物９の切断が開始される前に、上方の刃体に係る外側面６ａと前記保持片８ｂの内側面８ｃとの間に、被切断物９を確実に保持することができる。なお、以下において、保持片８ｂの上端８ｅは、保持部８の上端と同一の構成要素を指す。
【００２８】
また、前記延出部８ａの一端部は、下方の刃体７の底面から回り込んで、下方の刃体７に係る外側面７ａに結合されてなる固定部１１を備える。保持部８を下方の刃体７に固定するためである。
【００２９】
また、下方の刃体７に係る外側面７ａと固定部１１の結合方法としては、接着のほか、磁石による固定でもよい。
【００３０】
以下、上記の構成を有する本考案に係る切断片保持ハサミ１の使用方法について、図を参照しながら詳説する。
【００３１】
図３は、本考案に係る切断片保持ハサミ１の刃体が閉じた状態の背面図である。使用者は、切断片保持ハサミ１の下方の刃体に係る持ち手２に親指を、上方の刃体に係る持ち手４に中指及び薬指をかけ、切断片保持ハサミ１を把持する。なお、人差し指は、上方の刃体に係る柄に沿える。
【００３２】
図１は、本考案に係る切断片保持ハサミ１の刃体が開いた状態の背面図である。使用者は、切断片保持ハサミ１を把持した状態で、持ち手にかけられた指を互いに上下方向に離反させることで、支軸５により連結された一対の刃体６，７が開放される。また、上下方向に離反した指を互いに接近させることで、開放された一対の刃体６，７が閉塞される。
【００３３】
図６〜８は、本考案に係る切断片保持ハサミ１の使用状態を示す拡大端面図である。なお、被切断物９は釣り糸とした。
【００３４】
図６は、被切断物９の切断前に係るＡ−Ａ拡大端面図である。上下方向に開放された一対の刃体６，７を横断する被切断物９が、保持片８ｂの上端８ｅに設置される。
【００３５】
開放された一対の刃体６，７が徐々に閉塞されると、上方の刃体６に係る刃線６ｃが被切断物９を押し下げながら、上方の刃体６と保持片８ｂの上端８ｅにとの間に挟み込んでいく。
【００３６】
図７は、被切断物９の切断時に係るＡ−Ａ拡大端面図である。図６の状態の後、開放された一対の刃体６，７がさらに閉塞されることで、それぞれの刃体の刃線６ｃ、７ｃによる被切断物９の切断が開始される。
【００３７】
ここで、保持片８ｂの上端８ｅは、下方の刃体７の刃線７ｃと上方の刃体６の刃線６ｃとが同一高さとなった時の、上方の刃体６の小刃上端６ｄ以上の高さに設けられてなることが好ましい。保持片８ｂの上端８ｅが下方の刃体７の刃線７ｃ以上の高さに設けられていれば、切断片１０を保持片８ｂと上方の刃体６の外側面６ａとの間に引き込みながら保持することが可能である。ここで、保持片８ｂの上端８ｅが下方の刃体７の刃線７ｃと上方の刃体６の刃線６ｃとが同一高さとなった時の、上方の刃体６の小刃上端６ｄ以上の高さに設けられてなることで、図７に概要を示すように、被切断物９が上下の刃体６，７によって切断される際に、上方の小刃上端６ｄと保持片８ｂとによって切断片１０を確実に保持することができ、より切断片１０の飛散を防止することができるからである。なお小刃上端６ｄは、上方の刃体６の刃線６ｃから斜め方向に傾斜した面からなる小刃と刃体外側面６ａとの境界線をいう。
【００３８】
さらに、被切断物９の切断が開始されるとともに、被切断物９よから切り離された切断片１０が、前記上方の刃体６の外側面６ａと前記保持片８ｂの内側面８ｃとの間に形成された隙間Ｑに押し込まれていく。
【００３９】
なお、保持片８ｂの上端８ｅが、下方の刃体７の刃線７ｃと上方の刃体６の刃線６ｃとが同一高さとなった時に、上方の刃体６の小刃上端６ｄの高さと同一高さである場合、実際に釣り糸や紙片を被切断物９として切断する際には、上下の刃体６，７によって被切断物９が切断されようとする際には保持片８ｂの上端は８ｅ、上方の刃体６の小刃上端６ｄの高さよりもわずかに（被切断物９の厚さ分）下方の位置となるが、本考案に係る切断片保持ハサミ１の試作試行を行うにあたって、被切断物９が上下の刃体６，７によって切断される際に上方の小刃上端６ｄと保持部８とによって切断片１０を確実に保持することができる、という顕著な効果を妨げるものではなかった。すなわち、釣り糸や紙片を被切断物９として切断する際に、図７又は図１２に示すように、保持片８ｂの上端８ｅの刃体側の端縁８ｆと、そのわずか斜め上方に位置する上方の刃体６の小刃上端６ｄとが、被切断物９をほぼ保持可能な位置にあり、切断動作がなされた瞬間に切断片１０を飛散させることなく保持することができるからである。
【００４０】
図８は、被切断物９の切断後に係るＡ−Ａ拡大端面図である。開放された一対の刃体６，７がささらに閉塞されることで、被切断物９の切断が完了する。
【００４１】
被切断物９より切り離された切断片１０は、前記上方の刃体６の外側面６ａと前記保持片８ｂの内側面８ｃとの間に形成された隙間Ｑにより保持される。
【００４２】
また、切断片１０が保持された切断片保持ハサミ１の一対の刃体６，７を上下方向に再度開放することで、上方刃体６の外側面６ａと前記保持片８ｂの内側面が離れ、保持状態が解除される。
【００４３】
本考案に係る切断片保持ハサミ１は、上記実施形態に限られず、例えば、園芸用ハサミや裁縫用ハサミ等にも使用できる。
【００４４】
［第二の実施形態］
また、図９〜図１３は、本考案に係る切断片保持ハサミ１の第二の実施形態である。図９は本考案の第二の実施形態に係る背面図であり、図１０はその正面図である。以下、前記構成を有する本考案に係る切断片保持ハサミ１の形態について図を参照しながら詳説する。
【００４５】
９に示すように、本考案に係る切断片保持ハサミ１は、支軸５により回動可能に連結された上下一対の刃体６，７の基端は、持ち手２，４がそれぞれに備えられるそして、下方の刃体７に係る柄３に基端部１２が連結されてなるとともに、前記下方の刃体７の切断面７ｂに沿って、先端方向に延出され、下方の刃体７に連動して開閉回動する保持部８が形成されてなる。
【００４６】
前記保持部８は、下方の刃体７に係る柄３に基端部１２に一体形成されてなるほか、下方の刃体７に係る柄３に基端部１２に対して取外し可能に嵌装されていてもよい。
【００４７】
また、下方の刃体７に係る柄３と前記基端部１２との結合方法としては、接着のほか、磁石による固定でもよい。
【００４８】
また、前記下方の刃体７と前記保持部８との間には、上方の刃体が収容可能な収容空間Ｐが形成されてなるとともに収容された前記上方の刃体６の外側面６ａと前記保持部８の内側面８ｄとの間には隙間Ｑが形成され、前記保持部８の上端８ｅは、下方の刃体７の刃線６c以上の高さに設けられてなる。
【００４９】
前記上方の刃体６に係る外側面６ａと前記保持部８の内側面８ｄとの間に形成された隙間Ｑの間隔は、切断片１０の厚みまたは被切断物９の厚みに応じて調整可能であってもよい。
【００５０】
前記保持部８の上端８ｅは、下方の刃体に係る刃線７c以上の高さに形成されてなる。これにより、被切断物９の切断が開始される前に、上方の刃体に係る外側面６ａと前記保持部８の内側面８ｄとの間に、被切断物９を確実に保持することができる。
【００５１】
以下、上記構成を有する本考案に係る切断片保持ハサミ１の使用方法について、図を参照しながら詳説する。
【００５２】
図９、図１０に示すように、使用者は、本考案に係る切断片保持ハサミ１を使用するにあたって、切断片保持ハサミ１の下方の刃体に係る持ち手２に親指を、上方の刃体に係る持ち手４に中指及び薬指をかけ、切断片保持ハサミ１を把持する。なお、人差し指は、上方の刃体に係る柄に沿える。
【００５３】
図９は、本考案に係る切断片保持ハサミ１の刃体が開いた状態の背面図である。使用者は、切断片保持ハサミ１を把持した状態で、持ち手にかけられた指を互いに上下方向に離反させることで、支軸５により連結された一対の刃体６，７が開放される。また、上下方向に離反した指を互いに接近させることで、開放された一対の刃体６，７が閉塞される。
【００５４】
図１１〜１３は、本考案に係る切断片保持ハサミ１の使用状態を示す拡大端面図である。なお、被切断物９は釣り糸とした。
【００５５】
図１１は、被切断物９の切断前に係るＣ−Ｃ拡大端面図である。上下方向に開放された一対の刃体６，７を横断する被切断物９が、保持部８の上端８ｅに設置される。
【００５６】
開放された一対の刃体６，７が徐々に閉塞されると、上方の刃体６に係る刃線６ｃが被切断物９を押し下げながら、上方の刃体６と保持部８の上端８ｅにとの間に挟み込んでいく。
【００５７】
図１２は、被切断物９の切断時に係るＣ−Ｃ拡大端面図である。図１１の状態の後、開放された一対の刃体６，７がさらに閉塞されることで、それぞれの刃体の刃線６ｃ、７ｃによる被切断物９の切断が開始される。
【００５８】
さらに、被切断物９の切断が開始されるとともに、被切断物９よから切り離された切断片１０が、前記上方の刃体６の外側面６ａと前記保持部８の内側面８ｄとの間に形成された隙間Ｑに押し込まれていく。
【００５９】
図１３は、被切断物９の切断後に係るＣ−Ｃ拡大端面図である。開放された一対の刃体６，７がささらに閉塞されることで、被切断物９の切断が完了する。
【００６０】
被切断物９より切り離された切断片１０は、前記上方の刃体６の外側面６ａと前記保持部８の内側面８ｄとの間に形成された隙間Ｑにより保持される。
【００６１】
また、切断片１０が保持された切断片保持ハサミ１の一対の刃体６，７を上下方向に再度開放することで、上方刃体６の外側面６ａと前記保持部８の内側面８ｄが離れ、保持状態が解除される。
【００６２】
本考案に係る切断片保持ハサミ１は、上記実施形態に限られず、例えば、園芸用ハサミや裁縫用ハサミ等にも使用できる。
【符号の説明】
【００６３】
１切断片保持ハサミ
２下方の刃体に係る持ち手
３下方の刃体に係る柄
４上方の刃体に係る持ち手
５支軸
６上方の刃体
６ａ上方の刃体に係る外側面
６ｂ上方の刃体に係る内側面
６ｃ上方の刃体に係る刃線
７下方の刃体
７ａ下方の刃体に係る外側面
７ｂ切断面
７ｃ下方の刃体に係る刃線
８保持部
８ａ延出部
８ｂ保持片
８ｃ保持片の内側面
８ｄ保持部の内側面
９被切断物
１０切断片
１１固定部
１２基端部
Ｐ収容空間
Ｑ隙間
【図１】
0003230351.tif 000003
【図２】
0003230351.tif 000004
【図３】
0003230351.tif 000005
【図４】
0003230351.tif 000006
【図５】
0003230351.tif 000007
【図６】
0003230351.tif 000008
【図７】
0003230351.tif 000009
【図８】
0003230351.tif 000010
【図９】
0003230351.tif 000011
【図１０】
0003230351.tif 000012
【図１１】
0003230351.tif 000013
【図１２】
0003230351.tif 000014
【図１３】
0003230351.tif 000015